(57)【要約】      （修正有）【課題】ライフスタイルの多様化に対応することができ、施工主の要望により一層合った設計プランを提供することが可能な建物を提供する。【解決手段】複数層の建物本体６と、建物本体６の前側部７に一体的に設けられるとともに建物本体６の前側部７と同層かつ略同幅に設定された建物正面部８と、を備え、前側部７の最下層は、通路７ｃが配置される建物内空間としての通路領域７ａと、部屋１３が配置される建物内空間としての部屋領域７ｂとを有し、建物正面部８は、建物正面部８を幅方向に仮想的に三つに区分けしてなる第一領域８ａと第二領域８ｂと第三領域８ｃとを有し、第一領域８ａの最下層は通路領域７ａ隣接しており、第二領域８ｂおよび第三領域８ｃの最下層は部屋領域７ｂに隣接しており、第一領域８ａと第二領域８ｂと第三領域８ｃのうち少なくとも二つの領域は建物内空間とされている。【選択図】図２
2014066022.tif 000002
【特許請求の範囲】
【請求項１】
複数層の建物本体と、
前記建物本体の前側部に一体的に設けられるとともに該建物本体の前側部と同層かつ略同幅に設定された建物正面部と、を備える建物において、
前記建物本体の前記前側部の最下層は、該前側部と前記建物正面部とを連通する通路が配置される建物内空間としての通路領域と、部屋が配置される建物内空間としての部屋領域とを有しており、
前記建物正面部は、該建物正面部を幅方向に仮想的に三つに区分けしてなる第一領域と第二領域と第三領域とを有しており、
前記第一領域の最下層は前記通路領域に隣接しており、
前記第二領域および前記第三領域の最下層は前記部屋領域に隣接しており、
前記第一領域と前記第二領域と前記第三領域のうち少なくとも二つの領域は建物内空間とされていることを特徴とする建物。
【請求項２】
請求項１に記載の建物において、
前記第一領域と前記第二領域と前記第三領域のうち二つの領域は建物内空間とされ、一つの領域は建物外部とされており、
前記一つの領域は建物のコーナー部の入隅部に配置されており、その最下層は玄関ポーチとされていることを特徴とする建物。
【請求項３】
請求項２に記載の建物において、
建物内空間とされた前記二つの領域の最上層はバルコニーとされており、
前記バルコニーは、前記建物本体の前記前側部内に設けられた部屋に隣接しており、
前記部屋は、該部屋を前記前側部の幅方向に二分割する間仕切壁が取り外し可能に設けられることによって形成された第一部屋と第二部屋とを備えており、
前記バルコニーと前記第一部屋との間には第一開口部が設けられ、前記バルコニーと前記第二部屋との間には第二開口部が設けられていることを特徴とする建物。
【請求項４】
請求項２〜３のいずれか一項に記載の建物において、
前記建物正面部の最下層とその直上層との境界部分には庇が設けられており、
前記庇は、前記入隅部に設けられる入隅庇部と、
前記建物正面部の正面部と一側面部とにわたって、かつ前記入隅部を取り囲むようにして設けられる平面視略Ｌ字状の長庇部と、を備えることを特徴とする建物。
【請求項５】
請求項１〜４のいずれか一項に記載の建物において、
前記建物本体の前記前側部は三層構造とされており、
前記前側部の中間層は、天井高が０．８〜１．４ｍに設定された収納室とされており、
前記建物正面部の中間層は、前記収納室に対して隔絶されるとともに、前記建物正面部の最下層と最上層とを離間させるデッドスペースとされていることを特徴とする建物。
【発明の詳細な説明】
【技術分野】
【０００１】
本発明は、住宅等の建物に関する。
【背景技術】
【０００２】
いわゆる工業化住宅の利点として、部材の共通化やプランの共通化を図ることにより、高品質の住宅を、価格の上昇を抑えて提供できる点が挙げられる。しかしながら、このような工業化住宅にあっても、施工主の要望を極力反映させたいという要望がある。
この要望に応える技術として、複数のバリエーションが用意された玄関ユニットの中から施工主の要望に合ったものを選択できる技術が知られている（特許文献１参照）。この技術によれば、建物本体内の部屋の配置関係や設計プラン等を変更しないことにより価格の上昇を抑えつつ、敷地環境や施工主の要望に合わせて玄関部分の大きさや平面形状を変更することができる。
【先行技術文献】
【特許文献】
【０００３】
【特許文献１】特開２００７−１００４６０号公報
【発明の概要】
【発明が解決しようとする課題】
【０００４】
近年、ライフスタイルの多様化が進んでいる。ところが、特許文献１に記載の玄関ユニットの場合、建物本体の内部に設けられた部屋へ通じる二つの出入口が設けられることが前提とされているため、設計プランのバリエーションにも限りがある。このため、施工主の要望により一層合った設計プランを提供できるような技術の開発が望まれている。
【０００５】
本発明の課題は、ライフスタイルの多様化に対応することができ、施工主の要望により一層合った設計プランを提供することが可能な建物を提供することを目的とする。
【課題を解決するための手段】
【０００６】
請求項１に記載の発明は、例えば図１〜図９に示すように、複数層の建物本体６と、
前記建物本体６の前側部７に一体的に設けられるとともに該建物本体６の前側部７と同層かつ略同幅に設定された建物正面部８と、を備える建物１において、
前記建物本体６の前記前側部７の最下層は、該前側部７と前記建物正面部８とを連通する通路７ｃが配置される建物内空間としての通路領域７ａと、部屋（例えばリビング１３ａ）が配置される建物内空間としての部屋領域７ｂとを有しており、
前記建物正面部８は、該建物正面部８を幅方向に仮想的に三つに区分けしてなる第一領域８ａと第二領域８ｂと第三領域８ｃとを有しており、
前記第一領域８ａの最下層は前記通路領域７ａに隣接しており、
前記第二領域８ｂおよび前記第三領域８ｃの最下層は前記部屋領域７ｂに隣接しており、
前記第一領域８ａと前記第二領域８ｂと前記第三領域８ｃのうち少なくとも二つの領域は建物内空間とされていることを特徴とする。
【０００７】
請求項１に記載の発明によれば、前記建物本体６の前記前側部７と前記建物正面部８とを連通する通路７ｃが配置される建物内空間としての通路領域７ａと、部屋が配置される建物内空間としての部屋領域７ｂを有する範囲内で、前記建物本体６の前記前側部７の最下層のプラン変更を行うことができる。
また、前記第一領域８ａの最下層を前記通路領域７ａに隣接させ、前記第二領域８ｂおよび前記第三領域８ｃの最下層を前記部屋領域７ｂに隣接させ、前記第一領域８ａと前記第二領域８ｂと前記第三領域８ｃのうち少なくとも二つの領域を建物内空間とする範囲内で、前記建物正面部８のプラン変更を行うことができる。
また、前記建物正面部８を、前記建物本体６の前記通路領域７ａと前記部屋領域７ｂとを基準にしてプラン変更できるので、前記建物正面部８のプラン変更が前記建物本体６の前記前側部７の最下層のプランに影響を与えることを防ぐことができる。
これによって、前記建物本体６の前記前側部７の最下層と、前記建物正面部８とを、施工主のライフスタイルに合わせて適宜プラン変更できるので、近年におけるライフスタイルの多様化に対応することができ、施工主の要望により一層合った設計プランを提供することが可能となる。
【０００８】
請求項２に記載の発明は、例えば図１〜図９に示すように、請求項１に記載の建物１において、
前記第一領域８ａと前記第二領域８ｂと前記第三領域の８ｃうち二つの領域は建物内空間とされ、一つの領域は建物外部とされており、
前記一つの領域は建物のコーナー部１ａの入隅部１ｂに配置されており、その最下層は玄関ポーチ１０とされていることを特徴とする。
【０００９】
請求項２に記載の発明によれば、前記一つの領域は建物のコーナー部１ａの入隅部１ｂに配置されており、その最下層は玄関ポーチ１０とされているので、前記建物正面部８または前記建物本体６の前記前側部７に玄関を配設でき、該建物正面部８の外面を、建物ファサードとして機能させることができる。
【００１０】
請求項３に記載の発明は、例えば図１，図４に示すように、請求項２に記載の建物１において、
建物内空間とされた前記二つの領域の最上層はバルコニー１１とされており、
前記バルコニー１１は、前記建物本体６の前記前側部７内に設けられた部屋３４に隣接しており、
前記部屋３４は、該部屋３４を前記前側部７の幅方向に二分割する間仕切壁３５が取り外し可能に設けられることによって形成された第一部屋３４ａと第二部屋３４ｂとを備えており、
前記バルコニー１１と前記第一部屋３４ａとの間には第一開口部３６ａが設けられ、前記バルコニー１１と前記第二部屋３４ｂとの間には第二開口部３６ｂが設けられていることを特徴とする。
【００１１】
請求項３に記載の発明によれば、建物内空間とされた前記二つの領域の最上層はバルコニー１１とされているので、施工主に対して、建物１の正面側にバルコニー１１を配置する設計プランを提供することができる。
また、前記部屋３４が、前記間仕切壁３５が取り外された状態の一つの部屋として利用される場合には、前記第一開口部３６ａと前記第二開口部３６ｂの双方を利用して前記バルコニー１１と前記部屋３４との間を行き来することができる。
さらに、前記部屋３４が、前記間仕切壁３５によって前記第一部屋３４ａと前記第二部屋３４ｂとに分割されて二つの部屋として利用される場合には、前記第一開口部３６ａを利用して前記バルコニー１１と前記第一部屋３４ａとの間を行き来でき、前記第二開口部３６ｂを利用して前記バルコニー１１と前記第二部屋３４ｂとの間を行き来することができる。
これによって、施工主（居住者）のライフスタイルに合わせて、前記部屋３４を前記間仕切壁３５によって適宜プラン変更したとしても、前記バルコニー１１との行き来には支障がないので、建物１の最上層においても、施工主の要望により一層合った設計プランを提供することが可能となる。
【００１２】
請求項４に記載の発明は、例えば図１，図３，図１０〜図１２に示すように、請求項２〜３のいずれか一項に記載の建物１において、
前記建物正面部８の最下層とその直上層との境界部分には庇４０が設けられており、
前記庇４０は、前記入隅部１ｂに設けられる入隅庇部４２と、
前記建物正面部８の正面部と一側面部とにわたって、かつ前記入隅部１ｂを取り囲むようにして設けられる平面視略Ｌ字状の長庇部４４と、を備えることを特徴とする。
【００１３】
請求項４に記載の発明によれば、前記入隅庇部４２によって、該入隅庇部４２の下方の前記玄関ポーチ１０の雨除け効果を得ることができる。さらに、前記長庇部４４のうち前記入隅庇部４２の外側に位置する部分によって、前記入隅庇部４２を外側に延長して張り出せたような状態とすることができる。これによって、雨の日に例えば前記入隅部１ｂに設けられる窓や玄関ドアを開けても雨水が建物１内に入りにくくなったり、地面からの泥の跳ね返りに起因する外壁の汚れの範囲を狭くしたりすることができるので、前記入隅部１ｂにおける雨除け効果を向上させることができる。
また、前記長庇部４４は、前記建物正面部８の正面部と一側面部とにわたって、かつ前記入隅部１ｂを取り囲むようにして設けられるので、該長庇部４４は前記三つの領域８ａ，８ｂ，８ｃにわたって設けられることになる。つまり、前記長庇部４４によって前記三つの領域８ａ，８ｂ，８ｃを有する前記建物正面部８の外観に統一感を持たせることができ、外観意匠を向上させることができる。
【００１４】
請求項５に記載の発明は、例えば図２，図５に示すように、請求項１〜４のいずれか一項に記載の建物１において、
前記建物本体６の前記前側部７は三層構造とされており、
前記前側部７の中間層は、天井高が０．８〜１．４ｍに設定された収納室２１とされており、
前記建物正面部８の中間層は、前記収納室２１に対して隔絶されるとともに、前記建物正面部８の最下層と最上層とを離間させるデッドスペース９とされていることを特徴とする。
【００１５】
請求項５に記載の発明によれば、前記デッドスペース９によって、前記収納室２１と前記建物正面部８の最下層と最上層とが隔絶されるので、例えば前記前側部７を二層構造にプラン変更する場合に、単に前記デッドスペース９を除外するだけで、前記建物正面部８のプランを大幅に変更することなく、前記建物本体６の前記前側部７のプラン変更に対応できる。
【発明の効果】
【００１６】
本発明によれば、ライフスタイルの多様化に対応することができ、施工主の要望により一層合った設計プランを提供することが可能となる。
【図面の簡単な説明】
【００１７】
【図１】建物を示す正面図である。
【図２】建物の１階を示す断面図である。
【図３】建物の２階を示す断面図である。
【図４】建物の２．５階を示す断面図である。
【図５】建物の前側部および建物正面部の概要を説明する斜視図である。
【図６】同、建物の最下層の一例を示す部分平面図である。
【図７】同、建物の最下層の一例を示す部分平面図である。
【図８】同、建物の最下層の一例を示す部分平面図である。
【図９】同、建物の最下層の一例を示す部分平面図である。
【図１０】庇を示す斜視図である。
【図１１】入隅庇部の詳細を説明するための斜視図である。
【図１２】入隅庇部の詳細を説明するための斜視図である。
【図１３】入隅庇部と長庇部との連結部分を示す断面図である。
【図１４】面格子の詳細を示す断面図である。
【発明を実施するための形態】
【００１８】
以下、図面を参照して本発明の実施の形態について説明する。なお、図２〜図４の紙面上において上が北、下が南、左が西、右が東とされている。
また、本実施の形態の建物１は、壁や床、屋根といった建物の構成要素を予め工場にてパネル化しておき、施工現場でこれらのパネルを組み立てて構築するパネル工法で構築されるが、従来の軸組工法や壁式工法の木造、鉄骨造、鉄筋コンクリート造等の建物にも適用することができる。
また、このパネルとは、縦横の框材（芯材）が矩形状に組み立てられるとともに、矩形枠の内部に補助桟材（芯材）が縦横に組み付けられて枠体が構成され、この枠体の両面もしくは片面に、面材が貼設されたものであり、内部中空な構造となっている。さらに、その内部中空な部分には、通常、グラスウールやロックウール等の断熱材が装填されるものである。また、外壁として用いる場合、外側表面には胴縁を介して外装材が取り付けられる。
【００１９】
＜建物１＞
まず、図１〜図５に示す建物１について詳細に説明する。
前記建物１は住宅であり、１階と２階と２．５階とからなる。また、前記建物１は、断面視において略逆Ｌ型の雁行形状とされており、上部に設けられる屋根５も、前記建物１の雁行形状に対応した形状となっている。
また、前記建物１は、複数層の建物本体６と、前記建物本体６の前側部７に一体的に設けられるとともに該建物本体６の前側部７と同層かつ略同幅に設定された建物正面部８と、を備える。
【００２０】
前記建物本体６の前記前側部７の最下層は、図２に示すように、該前側部７と前記建物正面部８とを連通する通路７ｃが配置される建物内空間としての通路領域７ａと、部屋（後述するリビング１３ａ等）が配置される建物内空間としての部屋領域７ｂとを有する。
前記建物正面部８は、図５に示すように、該建物正面部８を幅方向に仮想的に三つに区分けしてなる第一領域８ａと第二領域８ｂと第三領域８ｃとを有する。
なお、本実施の形態においては、前記建物正面部８は仮想的に略三等分に区分けされているが、これに限られるものではない。つまり、敷地の広さやこれに応じた建物の広さを考慮し、極端に寸法差が生じない範囲で三つに区分けされていればよいものとする。
【００２１】
なお、前記建物本体６と前記建物正面部８は、前記建物１を構成する互いに異なる要素ではあるが、実際に前記建物１を建築する上で一体であることは言うまでもない。したがって、図２〜図４に示すように、前記前側部７および前記建物正面部８は、略逆Ｌ型の建物１の南側に配置された縦長の一画とされ、前記建物本体６のうち前記前側部７を除く部分は、略逆Ｌ型の建物１の北側に配置された横長の一画とされている。
【００２２】
そして、図２および図５に示すように、前記第一領域８ａの最下層は前記通路領域７ａに隣接している。
また、前記第二領域８ｂおよび前記第三領域８ｃの最下層は前記部屋領域７ｂに隣接している。
また、前記第一領域８ａと前記第二領域８ｂと前記第三領域８ｃのうち少なくとも二つの領域は建物内空間とされている。
なお、本実施の形態においては、前記第一領域８ａと前記第二領域８ｂの二つの領域が建物内空間とされ、前記第三領域８ｃが建物外部とされている。
そして、該第三領域８ｃは、建物１のコーナー部１ａに凹所として形成される入隅部１ｂに配置されており、その最下層は玄関ポーチ１０とされている。
【００２３】
また、建物内空間とされた前記第一領域８ａと前記第二領域８ｂの最上層は、図１，図２，図４に示すように、バルコニー１１とされている。前記バルコニー１１は、前記建物本体６の前記前側部７内に設けられた部屋３４に隣接している。
【００２４】
また、前記建物正面部８の最下層とその直上層との境界部分には、図１および図３に示すように、庇４０が設けられている。そして、前記庇４０は、前記入隅部１ｂに設けられる入隅庇部４２と、前記建物正面部８の正面部と一側面部とにわたって、かつ前記入隅部１ｂを取り囲むようにして設けられる平面視略Ｌ字状の長庇部４４と、を少なくとも備える。
【００２５】
また、前記建物本体６の前記前側部７は図２〜図５に示すように、三層構造とされており、この前側部７の中間層は、天井高が０．８〜１．４ｍに設定された収納室２１とされている。
一方、前記建物正面部８の中間層は、図３に示すように、前記収納室２１に対して隔絶されるとともに、前記建物正面部８の最下層と最上層とを離間させるデッドスペース９とされている。
【００２６】
前記建物１の周囲には外壁２が設けられている。この外壁２は、前記建物１の全周および全高に及ぶ全ての外壁を含むものである。そして、本実施の形態の外壁２は、前記建物１の各側面ごとに更に細分化された構成となっており、外壁２ａ，２ｂ，２ｃ，２ｄ，２ｅ，２ｆを備える。
前記外壁２ａ，２ｂは、前記入隅部１ｂを構成するものである。
前記外壁２ｃは、前記外壁２ａと直交して連続的に配置されるものである。なお、該外壁２ｃのうち前記建物１の１階部分には窓３が設けられている。
前記外壁２ｄは、前記外壁２ｂと直交して連続的に配置されるものである。さらに、該外壁２ｄは後述する入隅部１ｄを構成している。
前記外壁２ｅは、前記外壁２ｃと直交して連続的に、かつ前記外壁２ａ，２ｄと平行に配置されるものである。
前記外壁２ｆは、前記外壁２ｄとともに後述する入隅部１ｄを構成するものである。
【００２７】
前記窓３が形成された前記外壁２ｃの前方には、図１および図２，図１４に示すように、面格子５０が、該外壁２ｃの幅方向両端部間または／および高さ方向両端部間にわたって、かつ前記窓３を覆うようにして設けられている。
なお、本実施の形態においては、前記窓３の幅寸法が前記外壁２ｃに対して４分の３程度の幅寸法に設定されている。前記面格子５０の幅寸法は前記窓３の幅寸法よりも広く、前記外壁２ｃに対して４分の３以上に設定されている。さらに、前記面格子５０の高さ寸法は、前記外壁２ｃの高さ方向両端部間にわたる長さに設定されている。より詳細には、前記面格子５０は、図１に示すように、上端部が前記庇４０の下面に達し、下端部が前記外壁２ｃよりも下方に位置する建物基礎に達する長さに設定されている。
【００２８】
以下、前記建物１について、より詳細に説明する。
まず、前記建物１は矩形状の敷地に建築されている。そして、前記建物１の複数のコーナー部１ａ…のうち、該建物１の雁行形状を規定する入隅部１ｄには中庭１４が配置されている。このように前記中庭１４は前記建物１の入隅部１ｄに配置されているので、該中庭１４にいる人に対して、程よく囲まれた印象やプライベートな雰囲気の中で自然と触れ合える環境を提供することができ、居住者にとって居心地の良い環境を形成することができる。
なお、前記入隅部１ｄは、互いに直交する前記外壁２ｄ，２ｆによって形成されている。
【００２９】
また、前記建物１が建築される敷地は道路に面しており、該敷地内には前記道路に面して駐車スペース１２が設けられている。さらに、この駐車スペース１２の北側に前記中庭１４が配置されており、西側には、前記部屋領域７ｂに隣接する前記玄関ポーチ１０が配置されている。
前記駐車スペース１２内には、電気自動車（ＥＶ）あるいはプラグインハイブリッドカー（ＰＨＶ）等のように電気エネルギーで走行する自動車のための充電スタンド１２ａが設置されている。
また、敷地内には、コストの低い夜間電力や太陽光発電等により自家発電した電力を蓄電するための蓄電池１２ｂが設置されている。
【００３０】
前記建物１の１階において、前記玄関ポーチ１０の西側に、外壁２ａに形成された玄関ドア付きの玄関開口部４を介して玄関が配置されている。なお、図２における玄関付近の升目状部分は土間床面である。また、前記玄関ポーチ１０には前記庇４０を支持する支柱４３が立設配置されている。
前記玄関は前記第一領域８ａおよび前記第二領域８ｂの最下層に該当する建物内空間である。そして、前記玄関のうち前記第一領域８ａ側は前記前側部７の前記通路領域７ａに隣接しており、前記第二領域８ｂ側は前記前側部７の前記部屋領域７ｂに隣接している。
なお、本実施の形態の玄関は、二つの領域分の広さに設定されているので、比較的広い空間となっている。このため、この玄関を近隣住民とのコミュニケーションスポットとして活用しやすい。
【００３１】
玄関である前記第一領域８ａに隣接する前記通路領域７ａには、図２に示すように、前記前側部７と前記建物正面部８とを連通する通路７ｃが配置されている。本実施の形態の通路７ｃは、北側に配置される階段室１５と前記第一領域８ａとを連通するとともにシューズクローゼット等を具備した収納付き玄関通路とされている。
また、玄関である前記第二領域８ｂに隣接する前記部屋領域７ｂには、リビング１３ａを含む部屋１３が配置されている。なお、前記第二領域８ｂと前記部屋１３の前記リビング１３ａとの間に式台７ｄが設けられている。
すなわち、本実施の形態においては前記玄関から建物１内の部屋へのルートが２通り用意されている。これにより、将来的に二世帯同居する際に、２つの動線を確保できるので好ましい。
【００３２】
前記部屋１３は、前記リビング１３ａとダイニング１３ｂとキッチン１３ｃの機能を一室に併存させた大空間の居室である。そして、前記建物１の雁行形状に対応して平面視略逆Ｌ字状に形成された所謂Ｌ型ゾーニングが採用されている。このように略Ｌ型に形成されることによって、視線を斜めに導くことができるので部屋１３を広く感じさせることができる。
【００３３】
また、本実施の形態においては、前記リビング１３ａの北側に前記ダイニング１３ｂが配置され、前記ダイニング１３ｂの東側に前記キッチン１３ｃが配置されている。
前記部屋１３は、前記リビング１３ａのみが前記前側部７に位置しているため、該リビング１３ａ側のエリアと、前記ダイニング１３ｂおよび前記キッチン１３ｃ側のエリアとに分けやすい構造となっている。これによって、将来的には、前記リビング１３ａと前記ダイニング１３ｂとの間に間仕切壁を設置して、前記リビング１３ａを親世帯居室等として利用することもできる。
【００３４】
前記部屋１３が上述のように略Ｌ型に形成されることによって、該部屋１３によって前記中庭１４を囲むことができる。すなわち、前記入隅部１ｄを形成し、かつ前記部屋１３を形成する外壁である前記外壁２ｄ，２ｆが前記中庭１４に面した状態となっている。
また、前記外壁２ｄ，２ｆには、前記中庭１４に向かって開口する開口部１４ａ，１４ｂ，１４ｃが形成されている。これら開口部１４ａ，１４ｂ，１４ｃには所謂掃出し窓が設けられており、前記部屋１３と前記中庭１４との間に比較的大きな開口を形成することができる。これによって、前記部屋１３と前記中庭１４との一体感を向上させることができるので、前記部屋１３における開放感の向上を図ることができる。さらに、前記部屋１３の採光性や通風性も向上させることができる。
なお、前記開口部１４ｃは南側に向かって開口する所謂南面開口であり、特に採光性に優れる。
【００３５】
前記部屋１３の北側には洗面所や浴室等が設けられている。また、前記部屋１３の西側には、収納付き玄関通路である前記通路７ｃの北側に位置する前記階段室１５が配置されている。
前記階段室１５は、平面視矩形状に形成されており、前記建物１の１階から２階にわたって設けられている。
また、上端部には前記屋根５に形成される複数のトップライト１６，１６が設けられている。前記階段室１５に複数のトップライト１６，１６が設けられているので、暗くなりがちな建物１の北側も自然光を確保することができる。これに応じて、前記階段室１５に設けられる手摺やパーテーションを透明部材や透光性を有する部材で構成することが好ましい。
【００３６】
また、前記階段室１５は、トイレと、１階と２階と接続する折り返し階段である室内階段１５ａと、２階の踊り場１５ｂと、を備える。
また、前記前側部７には、図３および図４に示すように、前記階段室１５に隣接するとともに前記踊り場１５ｂを介して２階と２．５階とを接続する半階分の室内階段１５ｃと、２．５階の踊り場１５ｄとが設けられている。
なお、本実施の形態において、前記室内階段１５ｃおよび前記踊り場１５ｄは、前記前側部７内に設けられるものとしたが、前記階段室１５の一部として該階段室１５に備えられるものとしてもよい。
【００３７】
前記建物１の２階において、前記階段室１５の東側には、前記踊り場１５ｂの延長として家族が共用できる部屋１９が設けられている。本実施の形態においては前記部屋１９を例えば本棚を設置したり、机を設置したりすることで、所謂ファミリーライブラリーとして利用できるが、これに限られるものではなく、家族での共用を目的とする部屋であれば特に限定されるものではない。
このような部屋１９が前記踊り場１５ｂに延長して設けられることによって、家族同士が互いに顔を見合わせることが可能な場所を前記部屋１３以外にも用意できるので、家族同士のコミュニケーションの機会を増やすことができる。
【００３８】
前記部屋１９の東側には主寝室としての部屋２０が配置されている。この部屋２０は前記キッチン１３ｃの上方に位置しており、該キッチン１３ｃと同様に南側に向かって開口する採光性に優れる南面開口部２０ａを有する。
なお、前記キッチン１３ｃ側の開口部１４ｃと前記南面開口部２０ａとは、前記建物１が雁行形状であることにより、敷地内の比較的奥まった位置に設けられることになる。これによって、プライバシーを確保しながら採光性の向上を図ることができるので、前記部屋２０および前記キッチン１３ｃの開放感を向上させることができる。
【００３９】
また、前記部屋１９および前記部屋２０の北側には、前記部屋２０から行き来可能なウォークインクローゼットと、前記部屋１９から行き来可能な小部屋・トイレとが配置されている。
さらに、前記部屋１９の南側には、前記前側部７の中間層である前記収納室２１が配置されており、この収納室２１の南側には前記建物正面部８の中間層である前記デッドスペース９が配置されている。
【００４０】
前記建物１の２．５階には、図４に示すように、前記収納室２１の上方に位置するとともに前記バルコニー１１に隣接する前記部屋３４が配置されている。
前記部屋３４は、該部屋３４を前記前側部７の幅方向に二分割する間仕切壁３５が取り外し可能に設けられることによって形成された第一部屋３４ａと第二部屋３４ｂとを備える。なお、本実施の形態においては、前記部屋３４は前記間仕切壁３５によって二等分されている。
【００４１】
そして、前記バルコニー１１と前記第一部屋３４ａとの間には第一開口部３６ａが設けられ、前記バルコニー１１と前記第二部屋３４ｂとの間には第二開口部３６ｂが設けられている。さらに、前記踊り場１５ｄと前記第一部屋３４ａとの間には第一出入口３７ａが設けられ、前記踊り場１５ｄと前記第二部屋３４ｂとの間には第二出入口３７ｂが設けられている。
【００４２】
前記第一出入口３７ａと前記第二出入口３７ｂとの間には、前記間仕切壁３５と同一直線上に配置される固定壁３５ａが立設されている。
前記固定壁３５ａは前記間仕切壁３５とは異なり、取り外し可能とはされておらず、前記部屋３４の床（中間床１８）や前記第一出入口３７ａおよび第二出入口３７ｂが形成される壁等に固定されている。すなわち、前記間仕切壁３５は、前記固定壁３５ａと、前記バルコニー１１側の前記第一開口部３６ａおよび前記第二開口部３６ｂが形成される壁との間に設けられて固定された状態となっている。
【００４３】
前記部屋３４は、前記間仕切壁３５を取り付けることによって二つの部屋に区分けされ、前記間仕切壁３５を取り外すことによって一つの部屋とされる。これによって、例えば子供の成長や各家庭の事情に応じて、前記部屋３４を一つの部屋から二つの部屋へとプランを変更したり、二つの部屋から一つの部屋へとプランを変更したりすることができるので、居住者のライフスタイルに合わせて前記部屋３４のプランを適宜変更できる。
【００４４】
なお、前記建物本体６において２．５階に設けられる部屋は前記部屋３４のみである。また、前記階段室１５の上部は前記屋根５までの吹き抜けとされている。また、前記部屋１９の南側半分の上部も吹き抜けとなっている。その他の部分は前記屋根５の形状や高さを考慮し、デッドスペース（小屋裏空間）とされている。
【００４５】
前記バルコニー１１は、前記第一領域８ａと前記第二領域８ｂの最上層であり、周囲を手摺壁１１ａによって囲まれている。
前記手摺壁１１ａは、前記デッドスペース９を囲む外壁２ａ，２ｃ，２ｅと一体的に設けられている。つまり、前記建物正面部８において前記第一領域８ａと前記第二領域８ｂを取り囲むようにして配置される外壁は、前記手摺壁１１ａを含めて最下層から最上層にわたって一体的となっている。
【００４６】
また、前記手摺壁１１ａの高さは通常の手摺壁よりも高く設定されている。すなわち、建築基準法施行令において手摺壁の高さは１．１ｍ以上とされているが、前記手摺壁１１ａの高さは少なくとも１．２ｍ以上に設定されている。
また、前記屋根５のうち前記バルコニー１１の上方に位置する軒先部５ａは、他の軒先部５ｂと比較して軒の出が大きく設定されている。つまり、前記軒先部５ａは前記バルコニー１１側に大きく張り出した状態となっている。
これによって、前記バルコニー１１を、深い軒と高めの手摺とで囲まれることにより、夏の高い直射日光や下からの見上げ視線を遮ることのできる居心地の良い軒下空間とすることができる。特に近隣住宅との距離が近くなりがちな都市部においては、近隣住宅からの視線を効果的に遮ることができ好ましい。
【００４７】
＜建物１の最下層の実施例１＞
図６は、上述の建物１の最下層とは異なる実施例を示すものである。本実施例の建物１の建物本体６の前側部７の最下層は、該前側部７と建物正面部８とを連通する通路７ｃが配置される建物内空間としての通路領域７ａと、リビング１３ａが配置される建物内空間としての部屋領域７ｂとを有する。
建物正面部８は、前記通路領域７ａに隣接する第一領域８ａと、前記部屋領域７ｂに隣接する第二領域８ｂと第三領域８ｃとを有する。
なお、本実施例においては、前記第一領域８ａと前記第二領域８ｂの二つの領域が建物内空間とされ、前記第三領域８ｃが建物外部とされている。また、該第三領域８ｃは前記入隅部１ｂに配置されており、その最下層は玄関ポーチ１０とされている。
【００４８】
前記玄関ポーチ１０の西側には玄関が配置されている。なお、図６における玄関付近の升目状部分は土間床面である。また、前記玄関は前記第一領域８ａおよび前記第二領域８ｂの最下層に該当する建物内空間である。そして、前記玄関は、二つの領域分の広さに設定されているので、比較的広い空間となっている。
【００４９】
玄関である前記第一領域８ａに隣接する前記通路領域７ａには、前記前側部７と前記建物正面部８とを連通する通路７ｃが配置されている。本実施例の通路７ｃは、北側の建物本体６内と前記第一領域８ａとを連通するとともにシューズクローゼット・駐輪スペース等を具備した収納付き玄関通路とされている。
また、玄関である前記第二領域８ｂと前記リビング１３ａとの間に式台７ｄが設けられている。
すなわち、本実施例においては前記玄関から建物１内の部屋へのルートが２通り用意されている。さらに、前記リビング１３ａは引戸１３ｄによって隣接する部屋（例えばダイニング）と仕切られている。これにより、図６に示す建物１は二世帯同居に対応できる仕様となっている。
【００５０】
また、本実施例の面格子５０は、前記外壁２ｃの前方に、該外壁２ｃの幅方向両端部間にわたって、かつ窓３を覆うようにして設けられている。
【００５１】
＜建物１の最下層の実施例２＞
図７は、上述の建物１の最下層とは異なる実施例を示すものである。本実施例の建物１の建物本体６の前側部７の最下層は、該前側部７と建物正面部８とを連通する通路７ｃが配置される建物内空間としての通路領域７ａと、リビング１３ａが配置される建物内空間としての部屋領域７ｂとを有する。
建物正面部８は、前記通路領域７ａに隣接する第一領域８ａと、前記部屋領域７ｂに隣接する第二領域８ｂと第三領域８ｃとを有する。
なお、本実施例においては、前記第一領域８ａと前記第二領域８ｂの二つの領域が建物内空間とされ、前記第三領域８ｃが建物外部とされている。また、該第三領域８ｃは前記入隅部１ｂに配置されており、その最下層は玄関ポーチ１０とされている。
【００５２】
前記玄関ポーチ１０の西側には玄関が配置されている。なお、図７における玄関付近の升目状部分は土間床面である。また、前記玄関は前記第一領域８ａおよび前記第二領域８ｂの最下層に該当する建物内空間である。そして、前記玄関は、二つの領域分の広さに設定されているので、比較的広い空間となっている。
【００５３】
玄関ホールである前記第一領域８ａに隣接する前記通路領域７ａには、前記前側部７と前記建物正面部８とを連通する通路７ｃが配置されている。本実施例の通路７ｃは、北側のリビング１３ａと南側の前記第一領域８ａとを連通する小廊下とされている。
つまり、小廊下である前記通路７ｃも、前記リビング１３ａに隣接した状態となっている。また、前記リビング１３ａとの間にはドアが設けられている。
【００５４】
また、玄関土間部である前記第二領域８ｂと前記リビング１３ａとの間にはシューズクローゼット等が配置され、前記第二領域８ｂとリビング１３ａとの間の通行が遮断された状態となっている。
つまり、本実施例の玄関は、前記玄関ポーチ１０から前記リビング１３ａへのルートが１通りとされている。ただし、前記通路７ｃを小廊下とした分、前記リビング１３ａを広く形成できるので好ましい。
【００５５】
また、本実施例の面格子５０は、前記外壁２ｃの前方に、前記第二領域８ｂに対応する部分の幅方向両端部間および高さ方向両端部間にわたって、かつ窓３を覆うようにして設けられている。
【００５６】
＜建物１の最下層の実施例３＞
図８は、上述の建物１の最下層とは異なる実施例を示すものである。本実施例の建物１の建物本体６の前側部７の最下層は、該前側部７と建物正面部８とを連通する通路７ｃが配置される建物内空間としての通路領域７ａと、リビング１３ａが配置される建物内空間としての部屋領域７ｂとを有する。
建物正面部８は、前記通路領域７ａに隣接する第一領域８ａと、前記部屋領域７ｂに隣接する第二領域８ｂと第三領域８ｃとを有する。
なお、本実施例においては、前記第一領域８ａが建物外部とされ、前記第二領域８ｂと前記第三領域８ｃの二つの領域が建物内空間とされている。また、前記第一領域８ａは建物１の入隅部とされたコーナー部１ａに配置されており、その最下層は玄関ポーチ１０とされている。
【００５７】
玄関ポーチ１０である前記第一領域８ａに隣接する前記通路領域７ａには、前記前側部７と前記建物正面部８とを連通する通路７ｃが配置されている。本実施例の通路７ｃは、東側のリビング１３ａと北側の他の部屋とに通じる玄関とされている。
なお、図８における玄関付近の升目状部分は土間床面である。すなわち、前記玄関は玄関土間部と、玄関ホール部とを備える。
【００５８】
また、建物内空間である前記第二領域８ｂおよび前記第三領域８ｃは、前記リビング１３ａの一部とされている。
つまり、本実施例の玄関は、前記玄関ポーチ１０から前記前側部７内へのルートが１通りとされている。ただし、前記第二領域８ｂと前記第三領域８ｃとを前記リビング１３ａの一部とした分、前記リビング１３ａを広く形成できるので好ましい。
また、前記玄関の玄関開口部４を南面開口とすることができる。
【００５９】
また、本実施例の面格子５０は、前記外壁２ｃの前方に、該外壁２ｃの幅方向の４分の３程度の長さおよび高さ方向両端部間にわたって、かつ窓３を覆うようにして設けられている。
【００６０】
＜建物１の最下層の実施例４＞
図９は、上述の建物１の最下層とは異なる実施例を示すものである。本実施例の建物１の建物本体６の前側部７の最下層は、該前側部７と建物正面部８とを連通する通路７ｃが配置される建物内空間としての通路領域７ａと、リビング１３ａが配置される建物内空間としての部屋領域７ｂとを有する。
建物正面部８は、前記通路領域７ａに隣接する第一領域８ａと、前記部屋領域７ｂに隣接する第二領域８ｂと第三領域８ｃとを有する。
なお、本実施例においては、前記第一領域８ａが建物外部とされ、前記第二領域８ｂと前記第三領域８ｃの二つの領域が建物内空間とされている。また、前記第一領域８ａは建物１の入隅部とされたコーナー部１ａに配置されており、その最下層は玄関ポーチ１０とされている。
【００６１】
玄関ポーチ１０である前記第一領域８ａに隣接する前記通路領域７ａには、前記前側部７と前記建物正面部８とを連通する通路７ｃが配置されている。本実施例の通路７ｃは、東側のリビング１３ａと北側の他の部屋とに通じる玄関とされている。
なお、図９における玄関付近の升目状部分は土間床面である。すなわち、前記玄関は玄関土間部と、玄関ホール部とを備える。
また、本実施例の玄関ホール部は、図８に示す玄関ホール部よりも東西方向に短く設定されている。その分、玄関土間部が広く形成されている。
【００６２】
また、建物内空間である前記第二領域８ｂおよび前記第三領域８ｃは、前記リビング１３ａに隣接する土間床面の室内テラス空間とされている。
つまり、本実施例の玄関は、前記玄関ポーチ１０から前記前側部７内へのルートが１通りとされている。ただし、前記玄関の玄関土間部を広くし、前記室内テラス空間を設けた分、建物１の内部と外部との間の境界領域を広くすることができるので開放的な居住環境を形成できる。
【００６３】
以上のような前記建物１によれば、前記建物本体６の前記前側部７と前記建物正面部８とを連通する通路７ｃが配置される建物内空間としての通路領域７ａと、部屋が配置される建物内空間としての部屋領域７ｂを有する範囲内で、前記建物本体６の前記前側部７の最下層のプラン変更を行うことができる。
また、前記第一領域８ａの最下層を前記通路領域７ａに隣接させ、前記第二領域８ｂおよび前記第三領域８ｃの最下層を前記部屋領域７ｂに隣接させ、前記第一領域８ａと前記第二領域８ｂと前記第三領域８ｃのうち少なくとも二つの領域を建物内空間とする範囲内で、前記建物正面部８のプラン変更を行うことができる。
また、前記建物正面部８を、前記建物本体６の前記通路領域７ａと前記部屋領域７ｂとを基準にしてプラン変更できるので、前記建物正面部８のプラン変更が前記建物本体６の前記前側部７の最下層のプランに影響を与えることを防ぐことができる。
これによって、前記建物本体６の前記前側部７の最下層と、前記建物正面部８とを、施工主のライフスタイルに合わせて適宜プラン変更できるので、近年におけるライフスタイルの多様化に対応することができ、施工主の要望により一層合った設計プランを提供することが可能となる。
【００６４】
また、前記一つの領域は建物のコーナー部１ａの入隅部１ｂに配置されており、その最下層は玄関ポーチ１０とされているので、前記建物正面部８または前記建物本体６の前記前側部７に玄関を配設でき、該建物正面部８の外面を、建物ファサードとして機能させることができる。
【００６５】
また、建物内空間とされた前記二つの領域の最上層はバルコニー１１とされているので、施工主に対して、建物１の正面側にバルコニー１１を配置する設計プランを提供することができる。
また、前記部屋３４が、前記間仕切壁３５が取り外された状態の一つの部屋として利用される場合には、前記第一開口部３６ａと前記第二開口部３６ｂの双方を利用して前記バルコニー１１と前記部屋３４との間を行き来することができる。
さらに、前記部屋３４が、前記間仕切壁３５によって前記第一部屋３４ａと前記第二部屋３４ｂとに分割されて二つの部屋として利用される場合には、前記第一開口部３６ａを利用して前記バルコニー１１と前記第一部屋３４ａとの間を行き来でき、前記第二開口部３６ｂを利用して前記バルコニー１１と前記第二部屋３４ｂとの間を行き来することができる。
これによって、施工主（居住者）のライフスタイルに合わせて、前記部屋３４を前記間仕切壁３５によって適宜プラン変更したとしても、前記バルコニー１１との行き来には支障がないので、建物１の最上層においても、施工主の要望により一層合った設計プランを提供することが可能となる。
【００６６】
また、前記入隅庇部４２によって、該入隅庇部４２の下方の前記玄関ポーチ１０の雨除け効果を得ることができる。さらに、前記長庇部４４のうち前記入隅庇部４２の外側に位置する部分によって、前記入隅庇部４２を外側に延長して張り出せたような状態とすることができる。これによって、雨の日に例えば前記入隅部１ｂに設けられる窓や玄関ドアを開けても雨水が建物１内に入りにくくなったり、地面からの泥の跳ね返りに起因する外壁の汚れの範囲を狭くしたりすることができるので、前記入隅部１ｂにおける雨除け効果を向上させることができる。
また、前記長庇部４４は、前記建物正面部８の正面部と一側面部とにわたって、かつ前記入隅部１ｂを取り囲むようにして設けられるので、該長庇部４４は前記三つの領域８ａ，８ｂ，８ｃにわたって設けられることになる。つまり、前記長庇部４４によって前記三つの領域８ａ，８ｂ，８ｃを有する前記建物正面部８の外観に統一感を持たせることができ、外観意匠を向上させることができる。
【００６７】
また、前記デッドスペース９によって、前記収納室２１と前記建物正面部８の最下層と最上層とが隔絶されるので、例えば前記前側部７を二層構造にプラン変更する場合に、単に前記デッドスペース９を除外するだけで、前記建物正面部８のプランを大幅に変更することなく、前記建物本体６の前記前側部７のプラン変更に対応できる。
【００６８】
また、前記建物１の前記建物正面部８が前記建物１の北側に配置される場合は、南側に配置される場合に比して日射しや温暖な風が建物１内に入り込みにくい。
このため、北側に配置された前記建物正面部８と隣接する前記通路領域７ａとしては、建物１の南側に配置されるリビング等の部屋に通じる通路や上階への階段等が配置される。また、前記部屋領域７ｂとしては、洗面所や浴室等の水回り室が配置される。すなわち、前記建物１が北向きのプランとされた場合であっても、これに対応できる。
【００６９】
＜収納室２１＞
次に、前記収納室２１について説明する。
図３に示すように、前記建物１の２階の床１７の一部の上方に該床１７より０．８〜１．４ｍ高い中間床１８が設けられ、これら床１７と中間床１８との間の空間が前記収納室２１とされている。また、前記収納室２１は前記部屋１９に隣接している。
なお、図３および図４に示すように、前記床１７の上方には前記収納室２１の他に、前記部屋１９，２０、前記踊り場１５ｂ等が設けられ、前記中間床１８の上方には前記部屋３４と前記踊り場１５ｄが設けられる。
【００７０】
前記収納室２１は、前記部屋１９に隣接配置される第一収納室２１ａと、前記部屋１９との間に前記第一収納室２１ａが介在するようにして該第一収納室２１ａに隣接配置される第二収納室２１ｂと、を備える。すなわち、前記第二収納室２１ｂは、前記部屋１９に対して、前記第一収納室２１ａよりも奥まった位置に配置されることになる。
本実施の形態においては、前記第二収納室２１ｂは、前記第一収納室２１ａの西側に配置されている。
【００７１】
また、前記第一収納室２１ａと前記部屋１９との間の壁２２には第一出入口２２ａが形成されている。前記第二収納室２１ｂと前記第一収納室２１ａとの間の壁２３には第二出入口２３ａが形成されている。
そして、前記第二出入口２３ａには、該第二出入口２３ａが形成される壁２３に沿ってスライドするスライド手段３３を有することによって該第二出入口２３ａを開閉する扉としての機能を持つ可動収納家具２６が設けられている。また、前記可動収納家具２６は、前記第一収納室２１ａ内に設置されている。
【００７２】
前記第二収納室２１ｂの床面積は、前記第一収納室２１ａの床面積よりも小さく設定されている。本実施の形態においては、前記第一収納室２１ａの床面積は、前記第二収納室２１ｂの２．５倍程度に設定されている。
より詳細には、前記第二収納室２１ｂの幅（東西の長さ）は前記第一領域８ａの幅と同等に設定されており、前記第一収納室２１ａの幅は、前記第二領域８ｂおよび前記第三領域８ｃの幅と同等に設定されている。さらに、前記第二収納室２１ｂの南北の長さは、前記前側部７の南北の長さよりも前記室内階段１５ｃがある分短く設定されており、前記第一収納室２１ａは前記前側部７と同等に設定されている。
なお、本実施の形態においては、前記第二収納室２１ｂの床面積は以上のように設定されているが、これに限られるものではない。
【００７３】
また、前記第一収納室２１ａ内には、前記第二出入口２３ａを閉塞した状態の前記可動収納家具２６と隣接するとともに前記第二出入口２３ａが形成される壁２３に固定される固定収納家具２７が設置されている。つまり、前記可動収納家具２６と前記固定収納家具２７とを並べて設置できるので、前記固定収納家具２７によって、前記可動収納家具２６が可動式であるか固定式であるかを判断しにくくすることができる。
また、前記可動収納家具２６と前記固定収納家具２７を並べて設置するだけでなく、図３に示すように、その他の家具も効果的に配置することによって、前記可動収納家具２６の存在をカムフラージュできるので好ましい。
【００７４】
さらに、上述のように前記部屋１９の南側に前記第一収納室２１ａが配置され、該第一収納室２１ａの西側に前記第二収納室２１ｂが配置されている。このため、前記第一出入口２２ａが形成される壁２２と、前記第二出入口２３ａが形成される壁２３とは直交する方向に配置されている。
そして、前記固定収納家具２７は、前記可動収納家具２６よりも前記第一出入口２２ａ側に配置されている。
なお、本実施の形態においては、前記壁２２と前記壁２３とが直交する方向に配置されているものとしたが、これに限られるものではない。例えば前記壁２２と前記壁２３とが対向して配置され、さらに前記第一出入口２２ａと前記第二出入口２３ａとが対向されて配置されるようにしてもよい。
また、前記固定収納家具２７は、前記可動収納家具２６よりも前記第一出入口２２ａ側に配置されているとしたが、これに限られるものではない。
【００７５】
また、前記第二収納室２１ｂは、前記第二出入口２３ａが形成される壁２３と、該壁２３と平行または直交して配置される他の壁２ｅ，２４と、室内階段１５ｃとによって囲まれている。なお、前記壁２ｅは上述のように外壁であり、前記壁２４は前記デッドスペース９を形成する外壁ではない壁である。
すなわち、前記壁２３は前記第二収納室２１ｂの東側部分に位置し、前記外壁２ｅは西側部分に位置し、前記壁２４は南側に位置し、前記室内階段１５ｃは北側に位置する。
【００７６】
なお、前記可動収納家具２６および前記固定収納家具２７は、前記スライド手段３３を有する点を除き略同様の構成とされている。
また、本実施の形態の可動収納家具２６および固定収納家具２７は、少なくとも側板、天板、底板、棚板を備えた収納棚である。また、前記スライド手段３３は、例えばキャスター等が採用される。
【００７７】
以上のような前記収納室２１によれば、前記第二収納室２１ｂは前記部屋１９との間に前記第一収納室２１ａが介在するようにして該第一収納室２１ａに隣接配置されるので、前記第二収納室２１ｂは、前記部屋１９に対して、前記第一収納室２１ａよりも奥まった位置に配置されることになる。さらに、前記可動収納家具２６によって前記第二出入口２３ａを開閉できるので、前記第二収納室２１ｂを人目につきにくくすることができる。つまり、前記可動収納家具２６によって前記第二収納室２１ｂの存在をカムフラージュすることができる。これによって、物品を人目につかないように前記第二収納室２１ｂに収納することが可能となる。
しかも、前記可動収納家具２６は、前記第一収納室２１ａ内に配置されているので、前記第一収納室２１ａのさらに奥に配置された前記第二収納室２１ｂの存在を、該可動収納家具２６によってより効果的にカムフラージュすることができる。
【００７８】
＜庇４０＞
次に、前記庇４０について説明する。
本実施の形態の庇４０の構造は、図１〜図５，図１０〜図１３に示すように、前記入隅部１ｂを含む外壁２に取り付けられるものである。また、前記建物１に対する前記庇４０の高さ位置は、上述のように、前記建物正面部８の最下層とその直上層との境界部分とされている。すなわち、本実施の形態において前記庇４０は、最下層である前記建物正面部８の玄関および玄関ポーチ１０と、中間層である前記デッドスペース９との境界部分に設けられている。
また、前記庇４０は、枠部４１と、前記入隅庇部４２と、前記支柱４３と、前記長庇部４４と、を備える。なお、この庇４０の下面には、野縁４０ａ（４９ｂ）を介して軒天井材４０ｂが設けられている。
【００７９】
前記枠部４１は、図１１に示すように、一辺の長さが前記入隅部１ｂを構成する二つの外壁２ａ，２ｂのうち一方の外壁２ａ表面の幅寸法と略等しく、かつ他辺の長さが他方の外壁２ｂ表面の幅寸法と略等しく設定された四角形状の枠体である。
そして、この枠部４１は、前記二つの外壁２ａ，２ｂに固定される２本の壁側枠材４１ａ，４１ａと、外側に位置する外側枠材４１ｂ，４１ｂと、を有する。
前記壁側枠材４１ａ，４１ａは、前記外壁２ａ，２ｂに対して、該外壁２ａ，２ｂの壁厚の半分程度まで埋まるようにして設けられている。
また、前記外側枠材４１ｂ，４１ｂ同士は、前記枠部４１の外側角部４１ｃに該当する部分でボルト固定されている。
また、前記枠部４１は水平に配置されている。
【００８０】
なお、前記外側枠材４１ｂ，４１ｂは互いに直交しており、前記二つの外壁２ｃ，２ｄのそれぞれの延長線に沿って配置されている。
すなわち、前記外壁２ｃの延長線と前記外壁２ｄの延長線は、前記建物１の複数のコーナー部１ａ…のうち前記入隅部１ｂのある一つのコーナー部１ａにおいて互いに交差するものである。前記外側枠材４１ｂ，４１ｂは、このような外壁２ｃ，２ｄの延長線に沿って配置されるため、互いに直交するように設けられている。そして、このような複数の枠材４１ｂ，４１ｂの上面に前記入隅庇部４２の外部側端部が設置される。
【００８１】
前記入隅庇部４２は、図１０〜図１３に示すように、外周端部が前記枠部４１の上面に設置されるとともに、上面が前記二つの外壁２ａ，２ｂから外部に向かって傾斜する下り勾配面とされている。なお、本実施の形態においては、稜線４２ｄを境にして二つの下り勾配面が形成されている。
この入隅庇部４２は、入隅パネル４２ａと、複数の勾配材４２ｂ…と、入隅カバー材４２ｃと、を有する。
【００８２】
前記入隅パネル４２ａは、前記枠部４１の上面に載置固定されるものであり、本実施の形態においては２枚、前記枠部４１の上面に載置固定されている。なお、この入隅パネル４２ａは上述のパネルと同様の構成とされているものとする。また、前記入隅パネル４２ａは水平に配置されている。
また、前記入隅パネル４２ａの上面には、図示しない下地合板が敷設される。その上から前記入隅カバー材４２ｃが設けられる。
【００８３】
前記複数の勾配材４２ｂ…は、図１２に示すように、前記入隅パネル４２ａの上面に取り付けられるとともに、上面に、外部側に向かって傾斜する傾斜面が形成されたものである。本実施の形態の複数の勾配材４２ｂ…は、前記入隅部１ｂから前記外側角部４１ｃに向かって配置された中央の勾配材４２ｂ１を境にして左右対称に複数の勾配材４２ｂ２，４２ｂ３，４２ｂ４，４２ｂ５が配置されている。つまり、本実施の形態の複数の勾配材４２ｂ…は、中央の勾配材４２ｂ１と、最も低い位置にＬ字状に配置される勾配材４２ｂ２，４２ｂ２と、前記中央の勾配材４２ｂ１と前記Ｌ字状に配置された最も低い勾配材４２ｂ２，４２ｂ２との間にわたって設けられる３種類の高さの途中用勾配材４２ｂ３，４２ｂ４，４２ｂ５とからなる。そして、図１２に示すような組み方で前記入隅パネル４２ａ上に設けられている。
なお、本実施の形態においては図１２に示すような形状の前記各勾配材４２ｂ１〜４２ｂ５を使用し、図１２に示すような組み方が採用されているが、これに限られるものではない。すなわち、図１２に示すような形状に限られない複数の勾配材を、前記入隅部１ｂの最も深い箇所から外部に向かって徐々に低くなるように組めれば良く、本発明の趣旨を逸脱しない範囲で適宜変更可能である。
【００８４】
前記入隅カバー材４２ｃは、図１０に示すように、前記複数の勾配材４２ｂ…の上面に、該複数の勾配材４２ｂ…と前記入隅パネル４２ａ上面とをカバーするようにして取り付けられるものである。
本実施の形態においては、４枚の入隅カバー材４２ｃが用いられている。また、４枚のうち、前記入隅部１ｂの最も内側に位置する第一の前記入隅カバー材４２ｃ１は、平面視正方形状に形成されている。
前記外側角部４１ｃの上方に位置する第二の前記入隅カバー材４２ｃ２は、前記第一の入隅カバー材４２ｃ１の先端部の形状に対応する形状となるように切欠形成されている。第三、第四の前記入隅カバー材４２ｃ３，４２ｃ４は、前記第一の入隅カバー材４２ｃ１よりも小さい平面視正方形状に形成されている。
なお、各入隅カバー材４２ｃ１，４２ｃ２，４２ｃ３，４２ｃ４は、板状の硬質発泡材７０と、上面に設けられる塩ビ鋼板７１とを主体として構成されている。
ただし、本実施の形態においては前記硬質発泡材７０，７０を採用したが、これに限られるものではなく、例えばパーティクルボード等でも良い。すなわち、前記硬質発泡材７０，７０やパーティクルボードのように、吸音性能および消音性能を有するものが好適である。
また、本実施の形態においては前記塩ビ鋼板７１を採用したが、これに限られるものではなく、他の鋼板を採用してもよいものとする。
【００８５】
前記支柱４３は、前記枠部４１および前記入隅庇部４２を支持するものである。本実施の形態においては、前記外壁２ｃの延長線と前記外壁２ｄの延長線との交点部分に配置され、前記玄関ポーチ１０に立設されている。
また、この支柱４３の上端部は、図１１に示すように、前記枠部４１の外側角部４１ｃとともにボルト固定されている。
【００８６】
前記長庇部４４は、図３に示すように平面視略Ｌ字状に形成され、前記入隅庇部４２を取り囲むようにして設けられるものである。
この長庇部４４は、長庇パネル４５と、長庇カバー材４６と、樋４７と、を有する。
【００８７】
前記長庇パネル４５は、図１２，図１３に示すように、前記枠部４１と前記外壁２にボルト固定されている。前記長庇パネル４５は水平に配置されている。
なお、本実施の形態においては、前記外壁２ｃに対しては該外壁２ｃの幅方向にわたって固定され、前記外壁２ｄに対しては端部のみが僅かに固定されている。また、この長庇パネル４５は上述のパネルと同様の構成とされているものとする。
すなわち、前記入隅部１ｂがあるコーナー部１ａに隣り合う二つのコーナー部１ａ，１ａのうち前記外壁２ｃ側のコーナー部１ａは出隅部１ｃとされている。前記長庇部４４のＬ字状の一辺は、前記入隅部１ｂ側のコーナー部１ａと前記出隅部１ｃ側のコーナー部１ａとの間に配置され、他辺は、前記入隅部１ｂ側のコーナー部１ａと前記外壁２ｄの入隅部１ｂ側端部との間に配置されている。
なお、前記入隅部１ｂと同時に形成される出隅については、前記建物１のコーナー部１ａに含まないものとする。つまり、前記入隅部１ｂと同時に形成される出隅とは、前記外壁２ａと前記外壁２ｃとで形成される出隅と、前記外壁２ｂと前記外壁２ｄとで形成される出隅を指すものとする。
また、前記出隅部１ｃは、前記外壁２ｃと前記外壁２ｅとで形成されている。
【００８８】
前記長庇カバー材４６は、図１３に示すように、前記長庇パネル４５の上面に、該長庇パネル４５上面をカバーし、前記枠部４１および前記外壁２から外部側に向かって傾斜するようにして設けられるものである。この長庇カバー材４６を傾斜させるには勾配調整材４６ａが用いられている。
なお、前記長庇部４４の末端（エンド部）に位置する長庇カバー材４６やコーナー部に位置する長庇カバー材４６は、稜線４６ｂを介して二つの下り勾配面が形成されたものを用いる。
また、前記長庇カバー材４６は、前記入隅カバー材４２ｃと同様に、前記硬質発泡材７０と、前記塩ビ鋼板７１とを主体として構成されている。
【００８９】
前記樋４７は、図３，図１３等に示すように、前記長庇パネル４５の外部側端面に沿って取り付けられものである。この樋４７によって、前記入隅庇部４２の入隅カバー材４２ｃおよび前記長庇カバー材４６の上面を流れる雨水を受けることができる。
また、この樋４７は、前記長庇パネル４５の外部側端面に固定された複数のブラケット４７ａを介して前記長庇パネル４５の外部側端面に取り付けられている。
なお、前記樋４７の上面には、この樋４７の上面開口部を覆うとともに、多数の孔部が形成された落ち葉除けの樋カバー材４７ｂが設けられている。
【００９０】
なお、本実施の形態の入隅部１ｂは、前記二つの外壁２ａ，２ｂと前記外側枠材４１ｂ，４１ｂとによって、平面視において前記建物１のコーナー部１ａを矩形状に切り欠いたような形状となっている。すなわち、平面視における前記入隅部１ｂの外縁は前記外側枠材４１ｂ，４１ｂによって規定されており、前記入隅部１ｂの壁側縁は前記外壁２ａ，２ｂによって規定されている。
【００９１】
以上のような前記庇４０によれば、前記支柱４３によって前記枠部４１と、該枠部４１の上面に設置される前記入隅庇部４２とを確実に支持できる。
また、前記入隅庇部４２によって、該入隅庇部４２の下方の雨除け効果を得ることができる。
また、前記入隅部１ｂを囲むようにして前記長庇部４４が取り付けられ、さらにその一辺が前記入隅部１ｂから前記出隅部１ｃまで配置されているので、例えば該長庇部４４の一辺を前記出隅部１ｃまで延ばさずに他の庇を設けるような場合に比して連続性があり、前記入隅部１ｂが見える位置における建物１の外観に統一感を持たせることができ、外観意匠を向上させることが可能となる。さらに、前記入隅庇部４２を外側に延長して張り出せたような状態とすることができる。これによって、雨の日に例えば前記入隅部１ｂに設けられる窓や玄関ドアを開けても雨水が建物１内に入りにくくなったり、地面からの泥の跳ね返りに起因する前記外壁２の汚れの範囲を狭くしたりすることができるので、前記入隅部１ｂにおける雨除け効果を向上させることができる。
さらに、前記入隅庇部４２と前記長庇部４４とを個別に施工できるので、前記入隅部１ｂの広さが建物１のプランごとに変更されたとしても、前記入隅庇部４２上面の前記下り勾配面を前記長庇部４４に関係なく調整できる。さらに、建物１のプランごとに同じ仕様の前記長庇部４４を採用できる。これによって、部品の共通化によるコストの低減や施工性の向上を図ることができる。
また、前記長庇部４４を、前記入隅庇部４２が設けられる前記二つの外壁２ａ，２ｂとは異なる他の外壁（例えば前記外壁２ｃ）の窓の庇としても利用することができる。
【００９２】
＜面格子５０＞
次に、前記面格子５０について説明する。
前記面格子５０は、上述のように、前記窓３が形成された前記外壁２ｃの前方に、前記窓３を覆うようにして設けられるものである。また、前記面格子５０の幅寸法は前記窓３の幅寸法よりも広く、前記外壁２ｃに対して４分の３以上に設定されている。さらに、前記面格子５０の高さ寸法は、前記外壁２ｃの高さ方向両端部間にわたる長さに設定されている。
そして、前記面格子５０は、図１，図２，図１４に示すように、複数の壁付ブラケット５１…と、複数のパネルブラケット５２…と、上下の水平フレーム５３，５３と、格子パネル５４と、を備える。
【００９３】
前記複数の壁付ブラケット５１…は、少なくとも当該面格子５０の四隅に位置するようにして前記外壁２ｃに取り付けられるものである。
なお、前記複数の壁付ブラケット５１…は、壁パネルである前記外壁２ｃの芯材、もしくは、隣り合う壁パネル同士を結合する結合材に対してビス止めされている。
【００９４】
前記複数のパネルブラケット５２…は、前記複数の壁付ブラケット５１…それぞれに取り付けられ、前記外壁２ｃの表面に取り付けられる外装材６０よりも前方に突出するものである。なお、これら複数のパネルブラケット５２…は、前記複数の壁付ブラケット５１…に対してボルト固定されている。
【００９５】
前記水平フレーム５３は、横（水平）方向に離間する前記パネルブラケット５２，５２間に架設されるものである。
なお、横方向に離間する前記パネルブラケット５２，５２間の間隔が大きい場合には、新しい前記水平フレーム５３を継ぎ足すようにして対処できる。その場合、隣り合う水平フレーム５３，５３同士の当接部を支持するために、前記四隅以外の新しい壁付ブラケット５１と前記パネルブラケット５２とが用いられる。
【００９６】
前記格子パネル５４は、上部側の前記水平フレーム５３と下部側の前記水平フレーム５３との間に架設されるものである。
また、前記格子パネル５４は、横方向に間隔をあけて配置される複数の縦格子５４ａ…と、前記複数の縦格子５４ａ…の上端部間および下端部間を連結するとともに前記水平フレーム５３，５３に取り付けられる上下の枠部５４ｂ，５４ｂと、を有する。
【００９７】
前記縦格子５４ａは、断面視において前記外壁２ｃ側から前方に向かうにつれて徐々に先細りする台形状に形成されている。
また、図示はしないが、前記縦格子５４ａは、金属製の芯材と、前記芯材の表面を被覆するとともに、セルロース材を粉砕して得られた粉砕粉と樹脂とを混合し溶融させて押出成形してなる表皮材と、を有する。
【００９８】
以上のような前記面格子５０によれば、前記格子パネル５４を、前記複数の壁付ブラケット５１…、前記複数のパネルブラケット５２…および前記上下の水平フレーム５３，５３を介して、前記外壁２ｃの広い範囲に確実に取り付けることができる。これによって、前記面格子５０によって前記窓３だけでなく該窓３が形成された前記外壁２ｃを比較的広く覆うことができるので、前記面格子５０と前記外壁２ｃとの関連性を高めて前記外壁２ｃ全体の統一感を生じさせることができ、前記面格子５０を含む前記外壁２ｃの全体的な外観意匠の向上を図ることができる。
また、例えば窓３のみを覆う程度の大きさの面格子よりも比較的大きい前記面格子５０を前記外壁２ｃに取り付けるにあたって、前記格子パネル５４を、前記壁付ブラケット５１…および前記パネルブラケット５２…の双方のブラケットと、前記パネルブラケット５２，５２間に架設される前記水平フレーム５３等の各パーツを介して前記外壁２ｃに取り付けることにより、前記面格子５０を前記外壁２ｃの前方に確実かつ容易に設けることができる。すなわち、前記面格子５０が比較的大きいために重量があったとしても、前記各パーツ５１，５２，５３を順々に取り付けるだけで前記格子パネル５４を前記外壁２ｃの前方に設けることができるので、前記面格子５０の施工性の向上を図ることができる。
さらに、例えば窓３の上下方向の長さに対応するなどして、前記面格子５０の上下方向の長さを変更する場合があったとしても、前記格子パネル５４は上下方向の長さが変更されたものを用いる必要があるが、該格子パネル５４以外の部材はサイズを変更する必要がない。つまり、部材の共通化を図ることができるので汎用性が高く、しかも前記面格子５０の製造に係るコストの削減を図ることが可能となる。
【符号の説明】
【００９９】
１  建物
２（２ａ〜２ｆ）  外壁
３  窓
６  建物本体
７  前側部
７ａ  通路領域
７ｂ  部屋領域
８  建物正面部
８ａ  第一領域
８ｂ  第二領域
８ｃ  第三領域
１７  床
１８  中間床
１９  部屋
２１  収納室
２１ａ  第一収納室
２１ｂ  第二収納室
２２  壁
２２ａ  第一出入口
２３  壁
２３ｂ  第二出入口
２６  可動収納家具
４０  庇
４１  枠部
４２  入隅庇部
４３  支柱
４４  長庇部
５０  面格子
５１  壁付ブラケット
５２  パネルブラケット
５３  水平フレーム
５４  格子パネル
５４ａ  縦格子
【図１】
2014066022.tif 000003
【図２】
2014066022.tif 000004
【図３】
2014066022.tif 000005
【図４】
2014066022.tif 000006
【図５】
2014066022.tif 000007
【図６】
2014066022.tif 000008
【図７】
2014066022.tif 000009
【図８】
2014066022.tif 000010
【図９】
2014066022.tif 000011
【図１０】
2014066022.tif 000012
【図１１】
2014066022.tif 000013
【図１２】
2014066022.tif 000014
【図１３】
2014066022.tif 000015
【図１４】
2014066022.tif 000016